(57)【特許請求の範囲】
【請求項１】
洗い場床の縁部に取り付けられる配管用フックであって、
前記縁部に沿って嵌合部が設けられており、
浴槽に付属する配管を保持する保持部と、
前記嵌合部のいずれかの箇所に嵌め合わされる被嵌合部と、を備えることを特徴とする配管用フック。
【請求項２】
前記嵌合部は、互いに対向する２つの平坦面を有し、
前記被嵌合部は、前記平坦面の間に嵌合することを特徴とする請求項１に記載の配管用フック。
【請求項３】
前記平坦面および前記被嵌合部のいずれか一方に前記縁部に沿う溝が設けられており、他方に該溝に係合する凸部が設けられていることを特徴とする請求項２に記載の配管用フック。
【請求項４】
前記被嵌合部は、外面が前記平坦面に接触する板状であり、先端側に指掛け部が設けられていることを特徴とする請求項２または３に記載の配管用フック。
【請求項５】
前記保持部は、前記配管に外接する板状であり、前記配管の外径寸法より狭い配管挿入部が形成されていることを特徴とする請求項１から４のいずれか１項に記載の配管用フック。
【請求項６】
前記保持部は、先端側において外方向に延び、前記配管を案内する案内部が設けられていることを特徴とする請求項５に記載の配管用フック。
【請求項７】
請求項１から６のいずれか１項に記載の配管用フックと、
前記配管用フックが取り付けられる洗い場床と、を備えることを特徴とする浴槽装置。
【発明の詳細な説明】
【技術分野】
【０００１】
本発明は、浴槽付属の配管を保持する配管用フックおよび浴槽装置に関する。
【背景技術】
【０００２】
浴槽には、気泡発生や追い炊きなどの機能に使用する硬質のパイプやホースなどの配管が付属している。各種の配管は、浴槽や洗い場床などの裏側に収納されており、配管経路の途中に設けた支持構造によって支持されている。
【０００３】
例えば、特許文献１には、浴槽上端のフランジ部の下面に配管支持体の上端部を固定し、該配管支持体に配管を支持させた浴槽装置が開示されている。配管支持体は、上下方向に延びるスライド溝、該スライド溝に嵌め合わされるスライド部材、およびスライド部材に固定された配管保持用のリング部材を有する。
【先行技術文献】
【特許文献】
【０００４】
【特許文献１】特開平０８−１３１４９６号公報
【発明の概要】
【発明が解決しようとする課題】
【０００５】
特許文献１に記載の浴槽装置は、スライド部材の移動によって上下方向に配管の支持位置を変更できるものの、水平方向には支持位置を変更することができなかった。
【０００６】
本発明は、斯かる事情に鑑みてなされたものであり、その目的とするところは、浴槽に付属する配管を支持する支持位置を水平方向に変更することができる配管用フックおよび浴槽装置を提供することにある。
【課題を解決するための手段】
【０００７】
本発明に係る配管用フックは、洗い場床の縁部に取り付けられる配管用フックであって、前記縁部に沿って嵌合部が設けられており、浴槽に付属する配管を保持する保持部と、前記嵌合部のいずれかの箇所に嵌め合わされる被嵌合部と、を備えることを特徴とする。また、浴槽装置は、前記配管用フックが取り付けられる洗い場床を備えることを特徴とする。
【０００８】
本発明にあっては、配管用フックは、洗い場床の縁部に沿って設けられた嵌合部のいずれかの箇所に被嵌合部で嵌め合わされる。これにより、配管用フックおよび浴槽装置は、浴槽に付属する配管を支持する支持位置を水平方向に変更することができる。
【発明の効果】
【０００９】
本発明によれば、配管用フックが洗い場床の縁部に沿って設けられた嵌合部のいずれかの箇所に被嵌合部で嵌め合わされるので、浴槽に付属する配管を支持する支持位置を水平方向に変更することができる。
【図面の簡単な説明】
【００１０】
【図１】実施形態に係る浴槽装置の側面図である。
【図２】実施形態に係る浴槽装置の洗い場床を示す斜視図である。
【図３】洗い場床の縁部分を拡大した斜視図である。
【図４】洗い場床の正面図である。
【図５】図４のＡ−Ａ線による洗い場床の断面図である。
【図６】配管用フックの斜視図である。
【図７】配管用フックの側面図である。
【図８】変形例に係る洗い場床の図５に相当する断面図である。
【発明を実施するための形態】
【００１１】
以下、本発明を好適な実施の形態をもとに図１から図８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
図１は本発明の実施形態に係る浴槽装置１００の側面図、図２は本発明の実施形態に係る浴槽装置１００の洗い場床５を示す斜視図、図３は洗い場床５の縁部分を拡大した斜視図、図４は洗い場床５の正面図である。浴槽装置１００は、湯を溜める浴槽１、追い炊きアダプター２、配管３、配管用フック４、および洗い場床５を備える。
【００１３】
追い炊きアダプター２は、浴槽１に装着されており、給水管および取水管が接続される。外壁面１１に設けた水受箱２１は、追い炊きアダプター２で結露した水等の受け皿となる。水受箱２１の下端部には、水受箱２１に溜まった水を排水するための配管３が接続されている。図１に示す配管３は、可撓性を有するホースであるが、硬質のパイプであってもよい。配管３は、浴槽１の側面部分から洗い場床５へ向けて延び、洗い場床５の浴槽１側の縁部に沿い、縁部の中央部で下方へ屈曲して、洗い場床５下の排水トラップ６に接続される。配管３は、洗い場床５の縁部で配管用フック４によって中途部が支持されている。
【００１４】
排水トラップ６は、浴槽１および洗い場床５から流れ込んだ水を下水管へと排水する。排水トラップ６は、上述のように配管３を接続する接続口６１を有しており、水受箱２１から配管３を通して流れ込む水を浴槽１および洗い場床５から流れ込む水とともに排水する。洗い場床５は、矩形状をなし、フレーム５１および洗い場パン５２を有している。フレーム５１は、金属製の角パイプ等を矩形状に組んだ構造を有する。
【００１５】
洗い場パン５２は、矩形板状をなし、浴槽１側の中央部に排水トラップ６に接続する排水口５２ａを有する。洗い場パン５２は、浴槽１側の縁部に沿って延びる板状のフランジ部５２ｂを有する。フランジ部５２ｂの下部には、縁部に沿って離散的に脚部５２ｃが設けられている。脚部５２ｃは、それぞれねじ等の固定金具を挿通する上下方向の通し穴を有する。洗い場パン５２は、フレーム５１上に載せられ、固定金具を通し穴に挿通してフレーム５１に固定される。
【００１６】
洗い場床５は、フレーム５１および洗い場パン５２のフランジ部５２ｂ間において、配管用フック４が嵌め合わされる嵌合部７が浴槽１側の縁部に沿って設けられている。ただし、配管用フック４は、洗い場床５の縁部のうち、脚部５２ｃが設けられている箇所には取り付けられない。
【００１７】
浴槽１と洗い場床５との間には仕切りパネル８が設けられている。仕切りパネル８の上端辺は、浴槽１の洗い場床５側の上縁部に係合し、下端辺は洗い場床５の浴槽１側の縁部に係合する。仕切りパネル８が取り付けられていない状態で、配管３や配管用フック４へのアクセスが可能である。
【００１８】
図５は、図４のＡ−Ａ線による洗い場床５の断面図、図６は配管用フック４の斜視図、図７は配管用フック４の側面図である。嵌合部７は、フランジ部５２ｂの下方側の平坦面７１、およびフレーム５１の浴槽１側の縁部における上方側の平坦面７２によって形成されている。平坦面７１および平坦面７２は互いに対向している。平坦面７１は、洗い場床５の縁部に沿う溝７１ａを有する。図５に示すように、配管用フック４は、嵌合部７に嵌め合わせるようにして取り付けられ、配管３を保持する。
【００１９】
配管用フック４は、洗い場床５の嵌合部７に嵌め合わされる被嵌合部４１、および配管３を保持する保持部４２を有し、屈曲または湾曲した板状に形成されている。配管用フック４は、樹脂を成型したものでもよいし、金属板を折り曲げ加工したものでもよい。被嵌合部４１は、フレーム５１側の平坦面７２に外面で接触する基端部４１ａを有し、該基端部４１ａの一端部に連続して保持部４２が設けられている。被嵌合部４１は、基端部４１ａの他端部から立ち上がり、基端部４１ａの一端部方向へ屈曲する側部４１ｂを有する。被嵌合部４１は、側部４１ｂの基端部４１ａ側と反対側の端部から基端部４１ａ側に屈曲した上端部４１ｃを有する。側部４１ｂと上端部４１ｃの角に凸部４１ｄが形成され、凸部４１ｄが平坦面７１の溝７１ａに係合する。
【００２０】
上端部４１ｃの先端側には、ユーザが手指を掛ける指掛け部４１ｅが設けられている。指掛け部４１ｅは、上端部４１ｃの端部から基端部４１ａ側と反対側に屈曲するように延びる。指掛け部４１ｅに上方から手指を掛けて押圧力を加えることによって、被嵌合部４１は、上端部４１ｃが基端部４１ａに近づくように変形する。
【００２１】
被嵌合部４１の側部４１ｂは円弧状であってもよい。また、上端部４１ｃは、基端部４１ａと平行であってもよく、上端部４１ｃの側部４１ｂ側の端部に溝７１ａに嵌まる凸部が設けられていればよい。また、洗い場床５の嵌合部７において、平坦面７１に溝７１ａの代わりに凸条が洗い場床５の浴槽１側の縁部に沿って設けられ、配管用フック４の上端部４１ｃに該凸条に係合する溝が形成されていてもよい。また、平坦面７１に溝７１ａが設けられていない場合であっても、配管用フック４は、被嵌合部４１を嵌合部７の平坦面７１および７２に嵌め合わせることによって摩擦力が生じて抜け止めとなる。
【００２２】
保持部４２は、基端部４１ａの一端部に連続し、基端部４１ａと略直角に上下方向に延びる側部４２ａを有する。保持部４２は、側部４２ａの基端部４１ａ側と反対側の端部に連続する円弧状に湾曲した下端部４２ｂを有する。保持部４２は、側部４２ａおよび下端部４２ｂで配管３に外接し、配管３を保持する。下端部４２ｂの先端側は、側部４２ａとの水平方向の距離が配管３の外形寸法と同じ寸法となる頂点を超えて円弧状に延び、先端部分と側部４２ａで形成される配管挿入部４２ｃが配管３の外径寸法よりも狭くしてある。保持部４２は、下端部４２ｂの先端側に外方向に延び、配管３を案内する案内部４２ｄを有する。
【００２３】
次に配管用フック４の動作について説明する。
配管用フック４は、追い炊きアダプター２に設けた水受箱２１から延びる排水用の配管３を配管経路の中途部で支持する。配管用フック４は、水受箱２１からの配管３に限らず、洗い場床５の浴槽１側の縁部に沿って延びる配管を支持することができる。配管用フック４は、洗い場床５の浴槽１側の縁部に沿って設けられた嵌合部７のいずれかの箇所に取り付けることができる。即ち、配管用フック４は、洗い場床５の浴槽１側の縁部に沿って、水平方向に取り付け位置を変更することができる。
【００２４】
配管作業を行う作業者は、浴槽１、浴槽１に付属の配管類、および洗い場床５を含む浴槽装置１００を組み立てる前に、洗い場床５の嵌合部７に予め配管用フック４を取り付けることができる。また、浴槽１および洗い場床５を設置場所に配置した後であっても、仕切りパネル８が取り付けられていない状態で、洗い場床５の縁部と浴槽１との間の空間から手を伸ばして、配管用フック４を嵌合部７へ着脱することが可能である。また、仕切りパネル８が浴槽１および洗い場床５に取り付けられ、周囲の目地がシールされた場合であっても、シールを剥がして仕切りパネル８を取り外すことで、配管用フック４の着脱が可能である。
【００２５】
配管用フック４は、被嵌合部４１が洗い場床５の嵌合部７に嵌め合わされることで摩擦が生じて抜け止めとなる。また、配管用フック４は、凸部４１ｄが洗い場床５の嵌合部７の平坦面７１に設けた溝７１ａに係合することで、さらに抜けが防止される。作業者は、例えば、親指を配管用フック４の指掛け部４１ｅに掛け、他の手指での下端部４２ｂを支えて、親指で指掛け部４１ｅを押圧することにより配管用フック４の基端部４１ａに上端部４１ｃが近づくように変形させることができる。作業者は、配管用フック４を変形させた後、嵌合部７の平坦面７１および７２の間に側部４１ｂ側から容易に挿入することができる。配管用フック４は、凸部４１ｄが平坦面７１および７２の間に挟まり、さらに押し込むことで凸部４１ｄが平坦面７１の溝７１ａに係合させる。配管用フック４の凸部４１ｄが溝７１ａに係合したとき、指掛け部４１ｅが浮き上がってクリック感が得られるので、配管用フック４の取り付けが完了したことを作業者に知らせることができる。
【００２６】
嵌合部７に取り付けた配管用フック４を取り外すには、同様にして親指を配管用フック４の指掛け部４１ｅに掛けて押圧することにより配管用フック４を変形させる。作業者は、配管用フック４を変形させて、凸部４１ｄの溝７１ａへの係合を外し、配管用フック４を嵌合部７から抜き出すようにして取り外すことができる。
【００２７】
配管用フック４は、保持部４２の側部４２ａおよび下端部４２ｂが配管３に外接し、配管３を保持する。配管３は、外方向に延びる案内部４２ｄに載せて配管挿入部４２ｃ方向へずらし、配管挿入部４２ｃから挿入する。配管挿入部４２ｃは、配管３の外径寸法より狭いので、配管３が軟質のホースであれば、ホースを半径方向に押圧して変形させて配管挿入部４２ｃを通過させればよい。同様にしてホースを変形させて、保持部４２から取り外すことができる。また、配管３が硬質のパイプである場合には、案内部４２ｄに載せた配管３を押し込むことで下端部４２ｂを変形させ、広がった配管挿入部４２ｃを通過させるようにするとよい。案内部４２ｄに手指を掛け、配管挿入部４２ｃを押し広げるようにすれば、配管３を保持部４２から取り外すことができる。
【００２８】
配管挿入部４２ｃが配管３の外径寸法より狭いので、配管３の上下方向の移動が制限されるとともに、保持部４２から配管３が抜けることを防止できる。また、案内部４２ｄが設けられていることにより、配管３を配管用フック４に取り付ける際の作業性がよい。
【００２９】
次に、実施形態の配管用フック４および浴槽装置１００の特徴を説明する。
本発明の実施形態の配管用フック４は、洗い場床５の縁部に取り付けられる。洗い場床５の縁部には、該縁部に沿って嵌合部７が設けられている。配管用フック４は、浴槽１に付属する配管３を保持する保持部４２を有する。配管用フック４は、嵌合部７のいずれかの箇所に嵌め合わされる被嵌合部４１を有するので、浴槽１に付属する配管３を支持する支持位置を水平方向に変更することができる。
【００３０】
また、洗い場床に設けられた嵌合部７は、フランジ部５２ｂの下方側の平坦面７１、およびフレーム５１の浴槽１側の縁部における上方側の平坦面７２によって形成されている。平坦面７１および平坦面７２は互いに対向している。配管用フック４は、被嵌合部４１を平坦面７１および７２間に嵌合することによって摩擦力が生じて抜け止めとなる。
【００３１】
また、配管用フック４は、平坦面７１に洗い場床５の縁部に沿う溝７１ａが設けられており、被嵌合部４１に溝７１ａに係合する凸部４１ｄが設けられている。また、被嵌合部４１に洗い場床５の縁部に沿う溝が、平坦面７１に凸部が設けられていてもよい。溝７１ａに係合する凸部４１ｄが係合することで、さらに配管用フック４の抜けが防止される。
【００３２】
また、配管用フック４は、被嵌合部４１の外面が平坦面７１および７２に接触する板状であり、先端側に指掛け部４１ｅが設けられている。指掛け部４１ｅに手指を掛けて押圧することによって、被嵌合部４１を変形させて容易に嵌合部７に嵌めることができる。
【００３３】
また、配管用フック４は、保持部４２が配管３に外接する板状であり、配管３の外径寸法より狭い配管挿入部４２ｃが形成されているので、配管３の上下方向の移動が制限されるとともに、保持部４２から配管３が抜けることを防止できる。
【００３４】
また、配管用フック４は、保持部４２が先端側において外方向に延び、配管３を案内する案内部４２ｄが設けられているので、配管３を配管用フック４に取り付ける際の作業性がよい。
【００３５】
また、浴槽装置１００は、上述の特徴を有する配管用フック４と、配管用フック４が取り付けられる洗い場床５とを備えるので、浴槽に付属する配管を支持する支持位置を水平方向に変更することができる。
【００３６】
次に、変形例について説明する。
図８は、変形例に係る洗い場床５の図５に相当する断面図である。変形例に係る洗い場床５は、フレーム５１の浴槽１側の縁部に沿って板状の嵌合部７が設けられている。嵌合部７の上部および下部に平坦面７１および平坦面７２が形成される。また、平坦面７２には、洗い場床５の浴槽１側の縁部に沿って溝７２ａが設けられている。
【００３７】
配管用フック４は、被嵌合部４１が板状の嵌合部７に嵌合する構成としてある一方、保持部４２は上述の実施形態と同様である。被嵌合部４１は、基端部４１ａの一端から屈曲する指掛け部４１ｅを設け、基端部４１ａの下方に基端部４１ａに対向する下端部４１ｆを設ける。下端部４１ｆは、付け根部分から中途部にかけて基端部４１ａに近づくように傾斜し、中途部から屈曲して先端部にかけて基端部４１ａから遠くなるように傾斜している。下端部４１ｆの中途部の角に凸部４１ｇが形成される。
【００３８】
配管用フック４は、下端部４１ｆの先端側を板状の嵌合部７の端辺部分に当てて嵌合部７側へ押圧することによって、基端部４１ａと下端部４１ｆが開き、基端部４１ａおよび凸部４１ｇが平坦面７１および平坦面７２に接触する。さらに配管用フック４を嵌合部７側へ押し込むことにより、凸部４１ｇが平坦面７２の溝７２ａに係合する。
【００３９】
配管用フック４を取り外す際には、指掛け部４１ｅを押圧することで、基端部４１ａと下端部４１ｆが開いて凸部４１ｇが平坦面７２の溝７２ａに係合が外れ、嵌合部７から配管用フック４を抜き去るように取り外すことができる。
【００４０】
変形例に係る配管用フック４は、洗い場床５の縁部に取り付けられる。洗い場床５の縁部のフレーム５１には、該縁部に沿って板状の嵌合部７が設けられている。配管用フック４は、浴槽１に付属する配管３を保持する保持部４２を有する。配管用フック４は、嵌合部７のいずれかの箇所に嵌め合わされる被嵌合部４１を有するので、浴槽１に付属する配管３を支持する支持位置を水平方向に変更することができる。
【００４１】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４２】
１  浴槽、  １００  浴槽装置、  ３  配管、  ４  配管用フック、
４１  被嵌合部、  ４１ｄ  凸部、  ４１ｅ  指掛け部、  ４２  保持部、
４２ｃ  配管挿入部、  ４２ｄ  案内部、  ５  洗い場床、  ７  嵌合部、
７１，７２  平坦面、  ７１ａ  溝。
【図１】
0006577381.tif 000002
【図２】
0006577381.tif 000003
【図３】
0006577381.tif 000004
【図４】
0006577381.tif 000005
【図５】
0006577381.tif 000006
【図６】
0006577381.tif 000007
【図７】
0006577381.tif 000008
【図８】
0006577381.tif 000009